(57)【要約】 【課題】  本発明は、作業員が本雪止め具を屋根面に取付け施工する際に使用するボルト，ナットの螺子類への作業工具の取扱いを、支障なく円滑に行うことができる手段から成る装置を提供することを目的とする。 【解決手段】  適当長さの長方形状に構成した台枠座材１の前後座板上に、適当間隔をおいて全体が四傾斜面部を有する立方体形状に成る雪止め部材４，４，４を複数個設置し、前記雪止め部材の前後傾斜面部間に横杆材６，６を任意数架設し、前記台枠座板の左右座板２’，２’間の中央部より後側部寄りに架設した支板９に係合する後端部１１’，１１’，１１’を有する取付固定具１０，１０，１０を外側方向に開口して基板部１１，１１，１１と咬合板部１２，１２，１２とを螺子にて緊締固定するようにし、この取付固定具の螺子位置は前記雪止め部材に接触しない外側位置に設置して成る屋根用雪止め具の取付装置である。【選択図】    図１
2016125235.tif 000002
【特許請求の範囲】
【請求項１】
適当長さの長方形状に構成した台枠座材の前後座板上に、適当間隔をおいて全体が四傾斜面部を有する立方体形状に成る雪止め部材を複数個設置し、前記雪止め部材の前後傾斜面部間に横杆材を任意数架設し、前記台枠座板の左右座板間の中央部より後側部寄りに架設した支板に係合する後端部を有する取付固定具を外側方向に開口して基板部と咬合板部とを螺子にて緊締固定するようにし、この取付固定具の螺子位置は前記雪止め部材に接触しない外側位置に設置して成ることを特徴とする屋根用雪止め具の取付装置。
【発明の詳細な説明】
【技術分野】
【０００１】
本発明は、屋根における雪止め具の取付装置に関するものである。
【背景技術】
【０００２】
本発明者は、同一発明者の出願に係る特願２０１４−２２０６７３号に係る屋根用雪止め具を発明したが、これは長方形状に構成した台枠座材上に四傾斜面部を有する立方体形状に成る雪止め部材を複数個間隔をおいて設置し、この雪止め部材の内側部において屋根面への取付固定具を設置して成るものであるから、積雪が取付固定具に直接接触しないようになるとともに雪止め部材との固定維持力は十分となり、また屋根全面に設置される雪止め部材の屋根面における外観は良好な状態に保持されるという効果が発揮されるけれども、屋根面における作業員による取付け施工作業が確実かつ迅速にはできるとは限らない欠点があった。
【先行技術文献】
【特許文献】
【０００３】
【特許文献１】特願２０１４−２２０６７３号
【発明の概要】
【発明が解決しようとする課題】
【０００４】
そこで、本発明は、作業員が本雪止め具を屋根面に取付け施工する際に使用するボルト，ナットの螺子類への作業工具の取扱いを、支障なく円滑に行うことができる手段から成る装置を提供することを目的とするものである。
【課題を解決するための手段】
【０００５】
本発明は、適当長さの長方形状に構成した台枠座材の前後座板上に、適当間隔をおいて全体が四傾斜面部を有する立方体形状に成る雪止め部材を複数個設置し、前記雪止め部材の前後傾斜面部間に横杆材を任意数架設し、前記台枠座板の左右座板間の中央部より後側部寄りに架設した支板に係合する後端部を有する取付固定具を外側方向に開口して基板部と咬合板部とを螺子にて緊締固定するようにし、この取付固定具の螺子位置は前記雪止め部材に接触しない外側位置に設置して成る装置である。
【発明の効果】
【０００６】
第１に、本発明に係る雪止め部材を作業員が所定の屋根面に取付けるときは、長尺の台枠座材上に設置されている雪止め部材との関係では半分位の位置にその取付固定具を設定しているから、作業員はボルト，ナットによる取付け固定する作業時に雪止め部材に作業工具などが接触するようなことは起こらず、常に安全かつ確実に施工をすることができるのである。
【０００７】
第２に、本発明の雪止め部材自体はピラミッド形状の屋根面上において棟方向から蓄積される降雪に対し、その滑落を十分阻止することができるとともにその内部空間の広さによって空気の流通が良好になり、融雪効果を高めることができるのである。
【図面の簡単な説明】
【０００８】
【図１】全体の一部拡大斜視図
【図２】図１の平面図
【図３】図１の右側面図
【発明を実施するための形態】
【０００９】
本発明に係る雪止め具を所定の屋根において取付けるためには、図１に示した全体の斜視図で説明すれば、作業員は施工する屋根面において、複数の雪止め部材を設定している長尺の台枠座材を、その後側座板に設けている取付固定具列を棟側方向に置き、これを屋根面材の一部に咬合して固定するものである。
【００１０】
このように成る長尺の台枠座材を、屋根面上の何箇所かを選んで設置することになる。
【実施例１】
【００１１】
１は全体が適当長さの長方形状になる前後左右側部の座板２，２，２’，２’により構成した台枠座材で、この台枠座材の左右両側端部には三角形側杆３，３を立設する。
【００１２】
４，４，４は全体が比較的細径の杆材により三角形状に成る四傾斜面部を有するピラミッド形の立体形状に構成した雪止め部材で、この雪止め部材４は後側傾斜面部には三角形状の小杆材８，８，８を設けて成る。
【００１３】
また、四傾斜面部を構成する各雪止め部材４・・の前後傾斜面部の稜線部間には、平行間隔をおいて水平杆材５，５・・を包囲するように周設する。
【００１４】
前記雪止め部材４・・は、前記台枠座材１の前後座板２，２間を跨ぐようにしかつ左右適当間隔をおいて複数個設置する。
【００１５】
６・・は前記台枠座材１上における前記雪止め部材４・・の後側傾斜面部及び左右両側端部の三角形側杆３，３間に架設した横杆材で、この横杆材の本数は任意である。
【００１６】
７，７・・は前記雪止め部材４・・が設置する台枠座材１の前後座板２，２間の適位置に間隔をおいて架設した底板で、この底板と前後座板上には前記ピラミッド形の雪止め部材４・・が設置するようになる。
【００１７】
９は前記台枠座板１の左右座板２’，２’間の中央部より後側部寄りに架設した支板で、この支板には後記取付固定具１０・・における基板部１１の後端部１１’・・が係合するようになる。
【００１８】
１０，１０，１０は外側方向に開口し基板部１１，１１，１１と咬合板部１２，１２，１２とから成る取付固定具で、この取付固定具はそれぞれ基板部１１・・と咬合板部１２・・とをボルト１３，１３，１３により連結し、ボルトに螺合するナット１４，１４，１４により緊締固定する。
【００１９】
また、前記基板部１１，１１，１１の後端部１１’，１１’，１１’は前記支板９の一部にそれぞれ係合するようになる。
【００２０】
前記各取付固定具１０・・の基板部１１・・は後座板２上に載置することにより、雪止め部材４を構成する各種杆材には接触せず、その外側部において設置するようになるから、作業員が作業工具を持って取付固定具の咬合板部１２・・上に突出するボルト・・上のナット１４・・を緊締する作業をしても、周囲の部材に接触することなく確実に行うことができるようになる。
【符号の説明】
【００２１】
１                            台枠座材
２，２，２’，２’            前後左右座板
３，３                        側杆
４，４，４                    雪止め部材
５，５・・                    水平杆材
６，６                        横杆材
７，７，７                    底板
８，８，８                    小杆材
９                            支板
１０，１０，１０              取付固定具
１１，１１，１１              基板部
１１’，１１’，１１’        後端部
１２，１２，１２              咬合板部
１３，１３，１３              ボルト
１４，１４，１４              ナット
【図１】
2016125235.tif 000003
【図２】
2016125235.tif 000004
【図３】
2016125235.tif 000005